(57)【要約】【課題】製造コストの上昇を抑制しながら、捕球性能を向上することができる捕球具及び捕球具のウェブを得る。【解決手段】ウェブ上端部２Ｔに螺旋状に巻着された紐８と、紐８を挿通するために前記上端部２Ｔの内側革材４Ａ及び外側革材４Ｂの各々にあけられ、かつ、内側革材４Ａの孔位置を外側革材４Ｂの孔位置よりも下側にずらしてなる、前記革材４Ａ，４Ｂの左右幅方向に並設された通孔とにより、ウェブ上端部２Ｔを内側に屈曲させる屈曲手段３を構成した。従来の捕球具のウェブの構成から前記のように孔位置をずらすのみの変更により屈曲手段３を構成することができる。【選択図】図２
2008006073.tif 000002
【特許請求の範囲】
【請求項１】
親指袋と人差指袋の間に形成される隙間を埋めてボールを捕球するための捕球部材を構成するウェブの上端部を内側に屈曲させる屈曲手段を備えたことを特徴とする捕球具。
【請求項２】
前記屈曲手段が、前記ウェブの上端部に螺旋状に巻着された紐と、該紐を挿通するために前記上端部の内側革材及び外側革材の各々にあけられ、かつ、前記内側革材の孔位置を前記外側革材の孔位置よりも下側にずらしてなる、前記革材の左右幅方向に並設された通孔とからなる請求項１記載の捕球具。
【請求項３】
前記屈曲手段により前記ウェブの上端部を内側に屈曲させた状態で、該ウェブの上端の高さを前記親指袋の上端及び前記人差指袋の上端の高さと合わせてなる請求項１又は２記載の捕球具。
【請求項４】
捕球具の親指袋と人差指袋の間に形成される隙間を埋めてボールを捕球するための捕球部材を構成するウェブの上端部を内側に屈曲させる屈曲手段を備えたことを特徴とする捕球具のウェブ。
【請求項５】
前記屈曲手段が、前記ウェブの上端部に螺旋状に巻着された紐と、該紐を挿通するために前記上端部の内側革材及び外側革材の各々にあけられ、かつ、前記内側革材の孔位置を前記外側革材の孔位置よりも下側にずらしてなる、前記革材の左右幅方向に並設された通孔とからなる請求項４記載の捕球具のウェブ。
【発明の詳細な説明】
【技術分野】
【０００１】
本発明は、野球又はソフトボールに用いる内野手用グラブ、外野手用グラブ及び投手用グラブ並びに捕手用ミット及び一塁手用ミット等の捕球具及びこれら捕球具のウェブに関するものである。
【背景技術】
【０００２】
上記捕球具として、例えば、親指袋と人差指袋の間に形成される隙間を埋めてボールを捕球するための捕球部材を構成するウェブの左右幅方向両端を、親指袋の側部とこれに対向位置する人差指袋の側部とに渡って連結するとともに、連結用ウェブをウェブと掌部分とに一部が重なり合う状態で連結することにより、長期間使用してもウェブが自重により下方に下がることを確実に回避することができるグラブ（例えば、特許文献１参照。）、先端部の締結を、親指袋と人差指袋との間に取り付けるウェブを締結するウェブ先端締結紐と、人差指袋、中指袋、薬指袋及び小指袋を締結する指先締結紐とで分けて行うことにより、製造時の紐通し及び経時変化による調整の効率を良くすることができるグラブ（例えば、特許文献２参照。）等がある。
【０００３】
このような従来のグラブ等の捕球具のウェブにおいて、該ウェブの形状は様々であるが、該ウェブの機能又は性能面からは、親指袋と人差指袋との間からボールが抜けない形状であることや耐久性が考慮されるのみである。また、前記ウェブの上端部の内側革材及び外側革材の各々の左右幅方向に並設される通孔は、表裏方向に連ねるようにあけられ、これらの通孔を通して、親指袋の上端部、ウェブの上端部及び人差指袋の上端部を連結する紐が、前記ウェブの上端部に螺旋状に巻着される。
【０００４】
【特許文献１】特開２００５−３２９１３７号公報（図１−６）
【特許文献２】特開２０００−１２６３５２号公報（図１−２）
【発明の開示】
【発明が解決しようとする課題】
【０００５】
特許文献１及び２の構成のグラブは上記作用効果を奏するものであるが、このような従来の捕球具は、ウェブの先端部に打球、送球又は投球が当たると、該先端部が打球等の勢いに押されて外側に変形して落球につながる場合があることや、グラブ等を下向きにして例えばグラウンドの表面に近い球を捕球した後にウェブからボールが滑り落ちる等、ウェブ先端を通ってボールが抜ける場合があること等から、捕球性能面では改良の余地がある。
【０００６】
本発明は、前記のような問題点を解決し、捕球性能を向上することができる捕球具及び捕球具のウェブを提供することを目的とする。
【課題を解決するための手段】
【０００７】
本発明に係る捕球具は、前記課題解決のために、親指袋と人差指袋の間に形成される隙間を埋めてボールを捕球するための捕球部材を構成するウェブの上端部を内側に屈曲させる屈曲手段を備えたものである。
【０００８】
ここで、前記屈曲手段が、前記ウェブの上端部に螺旋状に巻着された紐と、該紐を挿通するために前記上端部の内側革材及び外側革材の各々にあけられ、かつ、前記内側革材の孔位置を前記外側革材の孔位置よりも下側にずらしてなる、前記革材の左右幅方向に並設された通孔とからなると好ましい
【０００９】
また、前記屈曲手段により前記ウェブの上端部を内側に屈曲させた状態で、該ウェブの上端の高さを前記親指袋の上端及び前記人差指袋の上端の高さと合わせてなると好ましい。
【００１０】
本発明に係る捕球具のウェブは、前記課題解決のために、捕球具の親指袋と人差指袋の間に形成される隙間を埋めてボールを捕球するための捕球部材を構成するウェブの上端部を内側に屈曲させる屈曲手段を備えたものである。
【００１１】
ここで、前記屈曲手段が、前記ウェブの上端部に螺旋状に巻着された紐と、該紐を挿通するために前記上端部の内側革材及び外側革材の各々にあけられ、かつ、前記内側革材の孔位置を前記外側革材の孔位置よりも下側にずらしてなる、前記革材の左右幅方向に並設された通孔とからなると好ましい
【発明の効果】
【００１２】
本発明に係る捕球具によれば、親指袋と人差指袋の間に形成される隙間を埋めてボールを捕球するための捕球部材を構成するウェブの上端部を内側に屈曲させる屈曲手段を備えたので、該屈曲手段によりウェブの上端部が内側に屈曲していることから、ウェブの上端部（先端部）に打球、送球又は投球が当たっても、該打球等の勢いに押されてウェブの上端部（先端部）が外側に変形しにくいため、落球につながりにくい。また、捕球具を下向きにして捕球した後においても、前記屈曲部がウェブからのボールの落下を抑制する。したがって、捕球性能を向上することができる。
【００１３】
また、前記屈曲手段が、前記ウェブの上端部に螺旋状に巻着された紐と、該紐を挿通するために前記上端部の内側革材及び外側革材の各々にあけられ、かつ、前記内側革材の孔位置を前記外側革材の孔位置よりも下側にずらしてなる、前記革材の左右幅方向に並設された通孔とからなると、前記内側革材の通孔と前記外側革材の通孔とが表裏方向に連ねるようにあけられておらず、前記内側革材の通孔の位置が前記外側革材の通孔の位置よりも下側にずらされていることから、これらの通孔を通して、親指袋の上端部、ウェブの上端部及び人差指袋の上端部を連結する紐を、ウェブの上端部に螺旋状に巻着することにより、上側に位置する前記外側革材の通孔が下側に位置する前記内側革材の通孔に近づくため、これらの革材（ウェブの上端部）が内側に屈曲する。このような構成によれば、従来の捕球具の構成から前記のように孔位置をずらすのみの変更により前記屈曲手段を構成することができる。したがって、屈曲手段を構成するための新規部品の追加がなく、捕球具の製造にかかる時間が増えることもない。よって、製造コストの上昇を抑制しながら、前記屈曲手段を構成することができる。
【００１４】
さらに、前記屈曲手段により前記ウェブの上端部を内側に屈曲させた状態で、該ウェブの上端の高さを前記親指袋の上端及び前記人差指袋の上端の高さと合わせてなると、捕球面の大きさを確保しながら、前記屈曲手段により捕球性能を向上することができる。
【００１５】
本発明に係る捕球具のウェブによれば、捕球具の親指袋と人差指袋の間に形成される隙間を埋めてボールを捕球するための捕球部材を構成するウェブの上端部を内側に屈曲させる屈曲手段を備えたので、該ウェブを取り付けてなる捕球具において、該屈曲手段によりウェブの上端部が内側に屈曲していることから、ウェブの上端部（先端部）に打球、送球又は投球が当たっても、該打球等の勢いに押されてウェブの上端部（先端部）が外側に変形しにくいため、落球につながりにくい。また、前記捕球具を下向きにして捕球した後においても、前記屈曲部がウェブからのボールの落下を抑制する。したがって、前記ウェブを取り付けてなる捕球具の捕球性能を向上することができる。
【００１６】
また、前記屈曲手段が、前記ウェブの上端部に螺旋状に巻着された紐と、該紐を挿通するために前記上端部の内側革材及び外側革材の各々にあけられ、かつ、前記内側革材の孔位置を前記外側革材の孔位置よりも下側にずらしてなる、前記革材の左右幅方向に並設された通孔とからなると、前記内側革材の通孔と前記外側革材の通孔とが表裏方向に連ねるようにあけられておらず、前記内側革材の通孔の位置が前記外側革材の通孔の位置よりも下側にずらされていることから、これらの通孔を通して、前記ウェブを取り付けてなる捕球具の親指袋の上端部、ウェブの上端部及び人差指袋の上端部を連結する紐を、ウェブの上端部に螺旋状に巻着することにより、上側に位置する前記外側革材の通孔が下側に位置する前記内側革材の通孔に近づくため、これらの革材（ウェブの上端部）が内側に屈曲する。このような構成によれば、従来の捕球具のウェブの構成から前記のように孔位置をずらすのみの変更により前記屈曲手段を構成することができる。したがって、屈曲手段を構成するための新規部品の追加がなく、ウェブの製造にかかる時間が増えることもない。よって、製造コストの上昇を抑制しながら、前記屈曲手段を構成することができる。
【発明を実施するための最良の形態】
【００１７】
次に、本発明の実施の形態を添付図面に基づいて説明するが、本発明は、添付図面に示された形態に限定されず特許請求の範囲に記載の要件を満たす実施形態の全てを含むものである。なお、本明細書においては、捕球具の例として示すグラブの各指袋の先端を上側とした状態（手挿入口を下側とした状態）における上下を上下とし、前記状態において掌側（捕球面）側から見た図を正面図とする。また、ウェブ面の捕球面側を内側、その反対側を外側とする。さらに、本明細書において、革材とは、天然皮革、合成皮革、又は、これらとほぼ同質の素材を含むものである。
【００１８】
図１〜図３は本発明の実施の形態に係る捕球具及び捕球具のウェブの構成を示す説明図であり、図１は捕球具の例として示すグラブの正面図、図２はウェブ単体を内側から見た斜視図、図３はウェブ上端部の構成を示す図であり、図３（ａ）は上側革材単体の斜視図、図３（ｂ）は上側革材を下側革材の上部に縫着した状態を示す斜視図、図３（ｃ）は縫着部の上側における内側革材の通孔と外側革材の通孔を通して紐を締めずにウェブ上端部に螺旋状に巻着した参考状態を示す斜視図、図３（ｄ）は前記紐を締めて前記内側革材の通孔と前記外側革材の通孔とを近づけながらウェブ上端部に螺旋状に巻着して該ウェブ上端部を内側に屈曲させた実際の状態を示す斜視図である。
【００１９】
図１において、捕球具であるグラブ１は、親指袋１１と人差指袋１２との間に形成される隙間にウェブ２を取り付けた後に、親指袋１１、ウェブ２、人差指袋１２、中指袋１３、薬指袋１４及び小指袋１５の上端部を連結することにより構成され、グラブ１の使用者が手挿入口１０から手を挿入して各指袋１１〜１５に各指を挿入した状態で使用される。なお、ウェブ２は、ウェブ本体部２Ｂの上端にウェブ上端部２Ｔを縫着してなるものであり、親指袋１１と人差指袋１２との間に形成される隙間を埋めてボールを捕球するための捕球部材を構成している。
【００２０】
また、各指袋１１〜１５の上端部の通孔及びウェブ上端部２Ｔの後述する通孔に、親指袋１１側又は小指袋１５側から紐８を通すことにより、親指袋１１、ウェブ２及びウェブ２、人差指袋１２、並びに、隣接する指袋同士である指袋１２，１３、指袋１３，１４及び指袋１４，１５の上端部が連結される。この状態において、前記捕球部材を構成するウェブ２を含め、グラブ１の掌側面が捕球面Ｃとなる。
【００２１】
そして、本発明の実施の形態に係るウェブ２は、図１及び図２に示すように、後述する屈曲手段３により、ウェブ上端部２Ｔが内側に屈曲している。なお、ウェブ２は、前述のようにグラブ１の親指袋１１と人差指袋１２との間に取り付けられた後に、ウェブ上端部２Ｔに螺旋状に紐８が巻着されるが、図２においては、ウェブ２単体のウェブ上端部２Ｔに螺旋状に紐８が巻着された状態のみを示している。
【００２２】
ウェブ上端部２Ｔが内側に屈曲していることから、ウェブ２が取り付けられたグラブ１において、ウェブ上端部２Ｔに打球、送球又は投球が当たっても、該打球等の勢いに押されてウェブ上端部２Ｔが外側に変形しにくいため、落球につながりにくい。また、グラブ１を下向きにして例えばグラウンドの表面に近い球を捕球した後においても、前記屈曲部があるためボールが滑り落ちにくいため、ウェブ２からのボールの落下が抑制される。よって、捕球性能を向上することができる。本発明は全ての種類の捕球具に対して効果があるが、ウェブが浅い捕手用ミットに適用すれば、特に効果が大きい。さらに、図１に示すように、ウェブ上端部２Ｔが内側に屈曲した状態で、ウェブ２の上端の高さを親指袋１１の上端及び人差指袋１２の上端の高さに合わせている。したがって、捕球面Ｃの大きさを確保しながら、屈曲手段３により捕球性能を向上することができる。
【００２３】
図３（ａ）に示すように上側革材４は例えば矩形であり、辺Ｓ１，Ｓ２に平行に上側革材４を屈曲させ、図３（ｂ）に示すようにウェブ本体部２Ｂを構成する下側革材５の上端部を上側革材４の先端部４Ｔ，４Ｔにより挟んで側面視略逆Ｕ字状とした状態で、上側革材４は糸６により下側革材５に縫着される。また、図３（ａ）に示すように、上側革材４には、辺Ｓ１，Ｓ２に平行に通孔４ａ，…及び４ｂ，…があけられており、辺Ｓ１と通孔４ａ，…の中心との距離Ｌ１は、辺Ｓ２と通孔４ｂ，…の中心との距離Ｌ２よりも短く設定される。すなわち、図３（ｂ）のように上側革材４を下側革材５に縫着した状態では、縫着部７の上側において、内側革材４Ａの左右幅方向に並設され表裏方向にあけられた通孔４ａ，…の位置は、外側革材４Ｂの左右幅方向に並設され表裏方向にあけられた通孔４ｂ，…の位置よりも相対的に下側となっている。例えば、通孔４ａ，…、４ｂ，…の直径が４ｍｍである場合に、該直径の１．５〜２倍である６〜８ｍｍ程度、通孔４ａ，…の位置を通孔４ｂ，…の位置から相対的に下側にずらすようにしている。
【００２４】
図３（ｂ）の状態から、参考状態である図３（ｃ）のように、紐８を締めずに表裏方向の内側革材４Ａの通孔４aと外側革材４Ｂの通孔４ｂとを順次通してウェブ上端部２Ｔに緩く螺旋状に巻着しても、ウェブ上端部２Ｔは内側に屈曲しない。しかし、紐８は、図３（ｄ）に示すように、順次、各通孔４a，４ｂに通された後、締めながらウェブ上端部２Ｔに巻着されるため、上側にある通孔４ｂと下側にある通孔４ａとが近づき、ウェブ上端部２Ｔは内側に屈曲した状態となる。なお、従来のウェブにおける内側革材及び外側革材の通孔のように、表裏方向に連ねるようにあけられている通孔の場合は、紐８を締めながらウェブ上端部２Ｔに巻着しても該ウェブ上端部２Ｔが内側に屈曲することはない。
【００２５】
以上のように、内側革材４Ａの通孔４ａ，…と外側革材４Ｂの通孔４ｂ，…とを従来のウェブのように表裏方向に連ねるようにあけずに、前記通孔４ａ，…の位置を前記通孔４ｂ，…の位置よりも相対的に下側にずらすことにより、ウェブ上端部２Ｔを内側に屈曲させる屈曲手段３を構成することができる。すなわち、本実施の形態における屈曲手段３は、ウェブ上端部２Ｔに螺旋状に巻着された紐８と、該紐８を挿通するためにウェブ上端部２Ｔの内側革材４Ａ及び外側革材４Ｂの各々にあけられ、かつ、内側革材４Ａの孔位置を外側革材４Ｂの孔位置よりも下側にずらしてなる、前記革材４Ａ，４Ｂの左右幅方向に並設された通孔４ａ，…，４ｂ，…とからなるものである。
【００２６】
このような構成によれば、従来のウェブの構成に対して紐８を巻着するための孔位置をずらすのみの変更により屈曲手段３を構成することができる。したがって、屈曲手段３を構成するための新規部品の追加がなく、捕球具１（ウェブ２）の製造にかかる時間が増えることもない。よって、製造コストの上昇を抑制しながら、前記のように捕球性能の向上効果がある屈曲手段３を実現することができる。
【００２７】
なお、ウェブ上端部２Ｔを内側に屈曲させる屈曲手段３は、紐８並びに通孔４ａ，…及び４ｂ，…からなる構成に限定されるものではない。例えば、図３（ｂ）における前記側面視略逆Ｕ字状の上側革材４と下側革材５との間の空間内に内側に屈曲した部材を挿入することや、内側に屈曲した別部材を取り付けてウェブ２の上端部とする等により、屈曲手段３を構成してもよい。しかし、このような別部品により屈曲手段３を構成すると、製造コストが上昇するとともに、ウェブ２の上端部が固くなって捕球具の操作性が低下する場合もある。したがって、本実施の形態のように紐８並びに通孔４ａ，…及び４ｂ，…からなる構成の方が屈曲手段３の構成としてより好ましい実施態様である。
【図面の簡単な説明】
【００２８】
【図１】本発明の実施の形態に係る捕球具の正面図である。
【図２】同じく捕球具のウェブ単体を内側から見た斜視図である。
【図３】ウェブ上端部の構成を示す図であり、（ａ）は上側革材単体の斜視図、（ｂ）は上側革材を下側革材の上部に縫着した状態を示す斜視図、（ｃ）は内側革材の通孔と外側革材の通孔を通して紐を締めずに巻着した参考状態を示す斜視図、（ｄ）は前記紐を締めながら巻着した実際の状態を示す斜視図である。
【符号の説明】
【００２９】
１  グラブ（捕球具）
２  ウェブ
２Ｂ  ウェブ本体部
２Ｔ  ウェブ上端部
３  屈曲手段
４  上側革材
４Ａ  内側革材
４ａ  通孔
４Ｂ  外側革材
４ｂ  通孔
４Ｔ  先端部
５  下側革材
６  糸
７  縫着部
８  紐
１０  手挿入口
１１  親指袋
１２  人差指袋
１３  中指袋
１４  薬指袋
１５  小指袋
Ｃ  捕球面
Ｓ１，Ｓ２  辺
【図１】
2008006073.tif 000003
【図２】
2008006073.tif 000004
【図３】
2008006073.tif 000005